(57)【要約】【課題】傷や汚れが付着しても容易に化粧壁材を交換することができ、緩衝ある壁とすることができる。【解決手段】  第一の平面１１ａと第二の平面１１ｂを有しており、第二の平面１１ｂが第一の平面１１ａに対して対向する基板１１と、基板１１の第一の平面１１ａを覆う意匠部１２ａと、基板１１の縁に沿って折り返されて第二の平面１１ｂに固定手段１３で固定される縁部１２ｂとを有するカバー材１２と、を備え、取付部材を本化粧材に取り付ける。基板表面をカバー材で覆い、カバー材の各端部を基板裏面に回し込んで、基板裏面の縁端部に留め具で固定し、取付部材を取り付けた壁化粧。【選択図】図２
2019199756.tif 000002
【特許請求の範囲】
【請求項１】
第一の平面と第二の平面を有しており、前記第二の平面が前記第一の平面に対して対向する基板と、
前記基板の前記第一の平面を覆う意匠部と、前記基板の縁に沿って折り返されて前記第二の平面に固定される縁部とを有するカバー材と、
を備える、化粧壁材。
【請求項２】
前記基板と前記カバー材との間に配置されるクッション材を、さらに備える、請求項１に記載の化粧壁材。
【請求項３】
前記基板の前記第一の平面を覆うように前記基板と前記カバー材との間に配置されるクッション材をさらに備え、
前記クッション材の縁部が前記カバー材の縁部とともに前記基板の前記第二の平面に固定されている、請求項１に記載の化粧壁材。
【請求項４】
前記基板の前記第一の平面に接して配置される第一のクッション材と、
前記第一のクッション材を覆うように前記第一のクッション材と前記カバー材との間に配置される第二のクッション材と、
をさらに備え、
前記第二のクッション材の縁部が前記カバー材の縁部とともに前記基板の前記第二の平面に固定されている、請求項１に記載の化粧壁材。
【請求項５】
壁基材への取り付けるための取付部材が、前記基板の前記第二の平面側に設けられている、請求項１ないし４の何れか１項に記載の化粧壁材。
【請求項６】
請求項１ないし５の何れか１項に記載の化粧壁材を複数壁基材に取り付けられて構成された、壁。
【発明の詳細な説明】
【技術分野】
【０００１】
本発明は、化粧壁材及び壁に関する。
【背景技術】
【０００２】
従来、人が生活したり活動する空間は、建築基材そのものがむき出しの壁で囲まれていたり、壁紙が貼り付けられた壁で囲まれていたり、又は化粧合板が貼り付けられた壁で囲まれている。
【発明の概要】
【発明が解決しようとする課題】
【０００３】
そのために次のような問題点があった。
【０００４】
建築基材そのものがむき出しで壁が構成されたり、壁紙、化粧合板が貼り付けられて壁が構成されたりしている場合、傷や汚れが壁に付着すると、傷や汚れを取り除くのが難しく、また壁が建築基材のままである場合には不注意による怪我や車庫等における車の開閉による車の外装の傷が生じる。
【０００５】
そこで、本発明は、傷や汚れが付着しても容易に壁を交換ができ、かつ緩衝ある壁とすることができる化粧壁材及び壁を提供することを目的とする。
【課題を解決するための手段】
【０００６】
上記目的は、次の発明により達成される。
すなわち、本発明に係る化粧壁材及び壁は、第一の平面と第二の平面を有しており、第二の平面が第一の平面に対して対向する基板と、前記基板の前記第一の平面を覆う意匠部と、前記基板の縁に沿って折り返されて前記第二の平面に固定される縁部とを有するカバー材と、を備える、化粧壁材。
前記化粧壁材において、好ましくは、前記基板と前記カバー材との間に配置されるクッション材を、さらに備える。
前記化粧壁材において、好ましくは、前記基板の前記第一の平面を覆うように前記基板と前記カバー材との間に配置されるクッション材をさらに備え、前記クッション材の縁部が前記カバー材の縁部とともに前記基板の前記第二の平面に固定されている。
前記化粧壁材において、好ましくは、前記基板の前記第一の平面に接して配置される第一のクッション材と、前記第一のクッション材を覆うように前記第一のクッション材と前記カバー材との間に配置される第二のクッション材と、をさらに備え、前記第二のクッション材の縁部が前記カバー材の縁部とともに前記基板の前記第二の平面に固定されている。
前記化粧壁材において、壁基材への取り付けるための取付部材が、前記基板の前記第二の平面側に設けられている。
前記記載のいずれかの化粧壁材を複数壁基材に取り付けられて構成された、壁。
【発明の効果】
【０００７】
本発明によれば、傷や汚れが付着しても容易に化粧壁材を交換することができ、緩衝ある壁とすることができる。
【図面の簡単な説明】
【０００８】
【図１】本発明の第一の実施形態及び第二の実施形態に係る化粧壁材が取り付けられた空間の一部を模式的に示す図である。
【図２】図１に示すＡ１―Ａ２断面図である。
【図３】図１に示すＢ１―Ｂ２断面図である。
【図４】本発明の第三の実施形態及び第四の実施形態に係る化粧壁材が取り付けられた空間の一部を模式的に示す図である。
【図５】図４に示すＣ１―Ｃ２断面図である。
【図６】図４に示すＤ１―Ｄ２断面図である。
【図７】本発明の第一の実施形態に係る化粧壁材が取り付けられた壁の一部を模式的に示す図である。
【発明を実施するための形態】
【０００９】
以下、図面を参照しながら本発明の実施形態を説明する。以下の説明では、図示する形態に沿って説明するが、本発明の範囲において適宜変更することができる。
【００１０】
（第一の実施形態）
本発明の第一の実施形態に係る化粧壁材１０は、図２に示すように、第一の平面１１ａと第二の平面１１ｂを有しており、第二の平面１１ｂが第一の平面１１ａに対して対向する基板１１と、前記基板１１の前記第一の平面１１ａを覆う意匠部１２ａと、前記基板１１の縁に沿って折り返されて前記第二の平面１１ｂに固定手段１３で固定される縁部１２ｂとを有するカバー材１２と、を備える。
【００１１】
基板１１は例えば木材、合板、合成樹脂で平板状に構成される。カバー材１２は例えば合成皮革、本革、織物等の生地材で構成されうる。固定手段１３は例えばタッカー針や接着テープのような留め具で構成される。タッカー針のような針の場合には複数の針で固定される。固定手段１３は留め具のほか接着剤をカバー材１２と基板１１との間に塗布してもよい。
【００１２】
一つの化粧壁材１０のみを取り付けて奥壁１、側壁２を構成する場合、化粧壁剤１０はその奥壁１、側壁２の形状、寸法に沿って構成される。複数の化粧壁材１０を隙間なく取り付けて奥壁１、側壁２を構成する場合には、基板１が長方形状、正方形状などの四角形状や、三角形状、多角形状でもそれらを組み合わせて、複数の化粧壁材１０を構成してもよい。隙間の有無を気にしない場合には円形状等でもよい。
【００１３】
壁基材へ取り付けるための取付部材１４が、基板１１の第二の平面１１ｂ側に設けられている。ことが好ましい。取付部材１４は、例えば面ファスナー又は両面テープで構成される。取付部材１４が面ファスナーで構成される場合には、面ファスナーの雄部、雌部の一方１４ａを基板１１の第二の平面１１ｂ側に取り付け、他方１４ｂを建築基材の壁基材側に取り付ける。
【００１４】
第一の実施形態によれば、建築基材そのものがむき出しで壁が構成されることなく、傷や汚れが付着した化粧壁材１０のみを交換すればよい。また、カバー材１２の素材によっては汚れを拭き取れば取り除くことができ交換の必要すらない。
加えて、建築基材むき出しの壁に取り付けた場合、例えば車庫の壁面に取り付けた場合には自動車の扉の不注意による開閉によって、自動車の外装が傷つくのを軽減できる。
【００１５】
傷や汚れが壁に付着すると、当該部分の化粧壁材のみを交換すればよいので、建築基材そのものを交換するということがない。
【００１６】
一又は複数の化粧壁材１０で壁を構成する場合において、一つのカバー材１２又は複数のカバー材１２に予め定められた模様やデザインが付され、当該模様やデザインで、壁で囲まれた空間で行われる活動と一体化することができ、さらに、一以上の化粧壁材１０が活動内容により交換することにより、壁の模様やデザインを変えることもできる。これにより活動の活性化を促すことができる。
【００１７】
化粧壁材１０において、基板１１にカバー材１２をある程度の張力により上下左右方向に引っ張って固定するので、カバー材１２が弛むこともない。
【００１８】
（第二の実施形態）
第二の実施形態は第一の実施形態を改変して構成される。第二の実施形態に係る化粧壁材２０は、図３で示すように第一の平面２１ａと第二の平面２１ｂを有しており、第二の平面２１ｂが第一の平面２１ａに対して対向する基板２１と、前記基板２１の前記第一の平面２１ａを覆う意匠部２２ａと、前記基板２１の縁に沿って折り返されて前記第二の平面２１ｂに固定手段２３で固定される縁部２２ｂとを有するカバー材２２と、前記基板２１と前記カバー材２２との間に配置されるクッション材２５を、備える。
【００１９】
基板２１は例えば木材、合板、合成樹脂などで平板状に構成される。カバー材２２は例えば合成皮革、本革、織物等の生地材で構成される。固定手段２３は例えばタッカー針や接着テープのような留め具で構成されうる。タッカー針のような針の場合には複数の針で固定される。固定手段２３は留め具のほか接着剤をカバー材２２と基板２１との間に塗布してもよい。
【００２０】
一つの化粧壁材２０のみを取り付けて奥壁１、側壁２を構成する場合、化粧壁材２０はその奥壁１、側壁２の形状、寸法に沿って構成される。複数の化粧壁材２０を隙間なく取り付けて奥壁１、側壁２を構成する場合には、基板２１が長方形状、正方形状などの四角形状や、三角形状、多角形状でもそれらを組み合わせて、複数の化粧壁材２０を構成してもよい。隙間の有無を気にしない場合には円形状等でもよい。
【００２１】
取付部材２４は、例えば面ファスナー又は両面テープで構成される。面ファスナーで取付部材２４を構成する場合には、面ファスナーの雄部、雌部の一方２４ａを基板２１の第二の平面２１ｂ側に取り付け、他方２４ｂを建築材の壁基材側に取り付ける。
【００２２】
クッション材２５は、例えばウレタン材などの高分子材料で所定の厚みを有するように構成され、基板２１の第一の平面２１ａとほぼ同様の形状及び寸法を有するが、クッション材２５の厚みは設置される壁の箇所や空間の用途に応じて適宜設定される。化粧壁材２０がクッション材２５を備えることにより、化粧壁材２０に弾力性を持たせることができ、緩衝性を有する。例えばウレタン材を用いた場合、化粧壁材２０で囲まれた空間内では生じる雑音を遮断し得る。
【００２３】
クッション材２５は、図示する形態では、ほぼ立方体形状であるが、空間側に対して凹凸を設けるようにしてもよい。これにより、様々な活動空間に応じた意匠壁面を醸し出すことができる。
【００２４】
第二の実施形態は第一の実施形態での構成を全て含むので、第二の実施形態は第一の実施形態での作用効果を有する。すなわち、第二の実施形態によれば、建築基材そのものがむき出しで壁が構成されることなく、傷や汚れが付着した化粧壁材２０のみを交換すればよい。また、カバー材２２の素材によっては汚れを拭き取れば取り除くことができ交換の必要すらない。
【００２５】
傷や汚れが壁に付着すると、当該部分の化粧壁材のみを交換すればよいので、建築基材そのものを交換するということがない。
【００２６】
一又は複数の化粧壁材２０で壁を構成する場合において、一つのカバー材２２又は複数のカバー材２２に予め定められた模様やデザインが付され、当該模様やデザインで、壁で囲まれた空間で行われる活動と一体化することができ、さらに、一以上の化粧壁材２０が活動内容により交換することにより、壁の模様やデザインを変えることもできる。これにより活動の活性化を促すことができる。
【００２７】
化粧壁材２０において、基板２１にカバー材２２をある程度の張力により上下左右方向に引っ張って固定するので、カバー材２２が弛むこともない。
【００２８】
（第三の実施形態）
第三の実施形態は第一の実施形態を改変して構成される。第三の実施形態に係る化粧壁材３０は、図５で示すように第一の平面３１ａと第二の平面３１ｂを有しており、第二の平面３１ｂが第一の平面３１ａに対して対向する基板３１と、前記基板３１の前記第一の平面３１ａを覆う意匠部３２ａと、前記基板３１の縁に沿って折り返されて前記第二の平面３１ｂに固定される縁部３２ｂとを有するカバー材３２と、前記基板３１の前記第一の平面３１ａを覆うように前記基板３１と前記カバー材３２との間に配置されるクッション材３５をさらに備え、前記クッション材３５の縁部３５ａが前記カバー材３２の縁部３２ｂとともに前記基板３１の前記第二の平面３１ｂに固定されている。
【００２９】
基板３１は例えば木材、合板、合成樹脂で平板状に構成される。カバー３２は例えば合成皮革、本革、織物等の生地材で構成されうる。固定手段３３は例えばタッカー針や接着テープのような留め具で構成されうる。タッカー針のような針の場合には複数の針で固定される。固定手段３３は留め具のほか接着剤をカバー材３２とクッション材３５と基板３１との間に塗布してもよい。
【００３０】
一つの化粧壁材３０のみを取り付けて奥壁１、側壁２を構成する場合、化粧壁材３０はその奥壁１、側壁２の形状、寸法に沿って構成される。複数の化粧壁材２０を隙間なく取り付けて奥壁１、側壁２を構成する場合には、基板３１が長方形状、正方形状などの四角形状や、三角形状、多角形状でもそれらを組み合わせて、複数の化粧壁材３０を構成してもよい。隙間の有無を気にしない場合には円形状等でもよい。
【００３１】
取付部材３４は、例えば面ファスナー又は両面テープで構成される。面ファスナーで取付部材３４を構成する場合には、面ファスナーの雄部、雌部の一方３４ａを基板３１の第二の平面３１ｂ側に取り付け、他方３４ｂを建築材の壁基材側に取り付ける。
【００３２】
クッション材３５は、ウレタン材などの高分子材料で所定の厚みを有するように構成され、基板３１の第一の平面３１ａとほぼ同様の形状及び寸法を有するが、クッション材３５の厚みは設置される壁の箇所や空間の用途に応じて適宜設定される。化粧壁材３０がクッション材３５を備えることにより、化粧壁材３０に弾力性を持たせることができる。クッション材３５は、基板３１とカバー材３２との間に配置されていることから、化粧材３０に於いてクッション材３５が内包される面に於いてさらに緩衝性を有する。例えばクッション材３５がウレタン材である場合には、化粧壁材３０で囲まれた空間内では生じる雑音を遮断し得る。
【００３３】
クッション材３５は、図示する形態では、ほぼ立方体形状であるが、空間側に対して凹凸を設けるようにしてもよい。これにより、様々な活動空間に応じた意匠壁面を醸し出すことができる。
【００３４】
第三の実施形態は第一の実施形態の構成を全て含むので、第三の実施形態は第一の実施形態での作用効果を有する。すなわち、第三の実施形態によれば、建築基材そのものがむき出しで壁が構成されることなく、傷や汚れが付着した化粧壁材３０のみを交換すればよい。また、カバー材３２の素材によっては汚れを拭き取れば取り除くことができ交換の必要すらない。
【００３５】
傷や汚れが壁に付着すると、当該部分の化粧壁材のみを交換すればよいので、建築基材そのものを交換するということがない。
【００３６】
一又は複数の化粧壁材３０で壁を構成する場合において、一つのカバー材３２又は複数のカバー材３２に予め定められた模様やデザインが付され、当該模様やデザインで、壁で囲まれた空間で行われる活動と一体化することができ、さらに、一以上の化粧壁材３０が活動内容により交換することにより、壁の模様やデザインを変えることもできる。これにより活動の活性化を促すことができる。
【００３７】
化粧壁材３０において、基板３１にカバー材３２をある程度の張力により上下左右方向に引っ張って固定するので、カバー材３２が弛むこともない。
【００３８】
（第四の実施形態）
第四の実施形態は第一の実施形態を改変して構成される。第四の実施形態に係る化粧壁材４０は、図６で示すように第一の平面４１ａと第二の平面４１ｂを有しており、第二の平面４１ｂが第一の平面４１ａに対して対向する基板４１と、前記基板４１の前記第一の平面４１ａを覆う意匠部４２ａと、前記基板４１の縁に沿って折り返されて前記第二の平面４１ｂに固定される縁部４２ｂとを有するカバー材４２と、前記基板４１の前記第一の平面４１ａを覆うように前記基板４１と前記カバー材４２との間に配置される第一クッション材４５をさらに備え、前記基板４１の前記第一の平面４１ａに接して配置される第一のクッション材４５と、前記第一のクッション材４５を覆うように前記第一のクッション材４５と前記カバー材４２との間に配置される第二のクッション材４６とをさらに備え、前記第二のクッション材の縁部が前記カバー材の縁部とともに前記基板の前記第二の平面４１ｂに固定される構成である。
【００３９】
基板４１は例えば木材、合板、合成樹脂で平板状に構成される。カバー材４２は例えば合成皮革、本革、織物等の生地材で構成されうる。固定手段４３は例えばタッカー針や接着テープのような留め具で構成されうる。タッカー針のような針の場合には複数の針で固定される。固定手段４３は留め具のほか接着剤をカバー材４２と各クッション材４５、４６と基板４１との間に塗布してもよい。
【００４０】
一つの化粧壁材４０のみを取り付けて奥壁１、側壁２を構成する場合、化粧壁材４０はその奥壁１、側壁２の形状、寸法に沿って構成される。複数の化粧壁材４０を隙間なく取り付けて奥壁１、側壁２を構成する場合には、基板４１が長方形状、正方形状などの四角形状や、三角形状、多角形状でもそれらを組み合わせて、複数の化粧壁材４０を構成してもよい。隙間の有無を気にしない場合には円形状等でもよい。
【００４１】
取付部材４４は、例えば面ファスナー又は両面テープで構成される。面ファスナーで取付部材４４を構成する場合には、面ファスナーの雄部、雌部の一方４４ａを基板４１の第二の平面４１ｂ側に取り付け、他方４４ｂを建築材の壁基材側に取り付ける。
【００４２】
第一クッション材４５及び第二クッション材４６は、例えばウレタン材などの高分子材料で構成さる。化粧壁材４０が第一クッション材４５及び第二クッション材４６を備えることにより、化粧壁材４０に弾力性を持たせることができ、さらに緩衝性を有する。加えて化粧壁材４０に第二クッション材４６が内包されていることから、当該内包されている部分も緩衝性を有する。第一クッション材４５は基板４１の第一の平面４１ａとほぼ同様の形状及び寸法を有するが、第一クッション材４５及び第二クッション材４６の厚みは設置される壁の箇所や空間の用途に応じて適宜設定される。第二クッション材４６が第一クッション材４５より高い硬度となることはない。例えば、少なくとも第一クッション材４５或は第二クッション材４６がウレタン材である場合には、化粧壁材４０で囲まれた空間内では生じる雑音を遮断し得る。
【００４３】
第一クッション材４５は、図示する形態では、ほぼ立方体形状であるが、空間側に対して凹凸を設けるようにしてもよい。これにより、様々な活動空間に応じた意匠壁面を醸し出すことができる。
【００４４】
第四の実施形態は第一の実施形態の構成を全て含むので、第四の実施形態は第一の実施形態での作用効果を有する。すなわち、第四の実施形態によれば、建築基材そのものがむき出しで壁が構成されることなく、傷や汚れが付着した化粧壁材４０のみを交換すればよい。また、カバー材４２の素材によっては汚れを拭き取れば取り除くことができ交換の必要すらない。
【００４５】
傷や汚れが壁に付着すると、当該部分の化粧壁材のみを交換すればよいので、建築基材そのものを交換するということがない。
【００４６】
一又は複数の化粧壁材４０で壁を構成する場合において、一つのカバー材４２又は複数のカバー材４２に予め定められた模様やデザインが付され、当該模様やデザインで、壁で囲まれた空間で行われる活動と一体化することができ、さらに、一以上の化粧壁材４０が活動内容により交換することにより、壁の模様やデザインを変えることもできる。これにより活動の活性化を促すことができる。
【００４７】
化粧壁材４０において、基板４１にカバー材４２をある程度の張力により上下左右方向に引っ張って固定するので、カバー材４２が弛むこともない。
【００４８】
(第５実施形態)
第一乃至第五の実施形態の化粧壁材を複数壁基材に取り付ける。その際、化粧壁材が所定の形を作り出すように配置し、その空間のイメージを持たせることにより、設置場所のイメージを高める。例えば複数には、第一乃至第五の実施形態の化粧壁材の組み合わせによる複数でもよい。所定の形には、図７で図示したものに限らず、各種の幾何学的模様、情報を読み取らせることができる形状などが含まれる。
【符号の説明】
【００４９】
１      壁
１ａ    奥壁
１ｂ    側壁
２      柱
３      床面
１０，２０，３０，４０              化粧壁材
１１，２１，３１，４１              基板
１１ａ，２１ａ，３１ａ，４１ａ      第一の平面
１１ｂ，２１ｂ，３１ｂ，４１ｂ      第二の平面
１２，２２，３２，４２            カバー材
１２ａ，２２ａ，３２ａ，４２ａ      意匠部
１２ｂ，２２ｂ，３２ｂ，４２ｂ      カバー材の縁部
１３，２３，３３，４３            固定手段
１４，２４，３４，４４            取付部材
１４ａ，２４ａ，３４ａ，４４ａ      面ファスナーの雄部、雌部の一方
１４ｂ，２４ｂ，３４ｂ，４４ｂ      面ファスナーの雄部、雌部の他方
２５，３５                          クッション材
３５ａ                              クッション材の縁部
４５                                第一のクッション材
４５ａ                              第一のクッション材の縁部
４６                                第二のクッション材
【図１】
2019199756.tif 000003
【図２】
2019199756.tif 000004
【図３】
2019199756.tif 000005
【図４】
2019199756.tif 000006
【図５】
2019199756.tif 000007
【図６】
2019199756.tif 000008
【図７】
2019199756.tif 000009